(57)【要約】【課題】波型プレス保持器を構成する一対の保持器構成体をリベット固定する際に、互いのリング状部材間に隙間を生じさせずに固定出来るとともに、軸受回転時の保持器振動や異音発生を抑制した波型プレス保持器を提供。【解決手段】波型にプレス成形された一対のリング部材と、前記一対のリング部材を互いに固定するリベットよりなる波型プレス保持器であって、前記リベットは、一端に固定用の頭部を備え、前記頭部から他端側へ向けて順に前記リング板厚以下の直線状の胴部と、先細りテーパ状の中間部と、直線状の先端部とを備えている。そして、テーパのリベット軸心に対する中間部のテーパ傾斜角度を４度〜１０度の範囲として設けることにより、一対のリング部材を互いにリベット固定する際に、互いのリング部材間に隙間を生じさせずに固定出来る。【選択図】図１
2015137666.tif 000002
【特許請求の範囲】
【請求項１】
波型にプレス成形された一対のリング部材と、前記一対のリング部材を互いに固定するリベットよりなる波型プレス保持器において、前記リベットは、一端に固定用の頭部を備え、前記頭部から他端側へ向けて順に前記リング板厚以下の直線状の胴部と、先細りテーパ状の中間部と、直線状の先端部とを備え、前記テーパのリベット軸心に対する傾斜角度を４度〜１０度の範囲としたことを特徴とする波型プレス保持器。
【発明の詳細な説明】
【技術分野】
【０００１】
本発明は、波型プレス保持器及び波型プレス保持器を備えた軸受に関するものである。
【背景技術】
【０００２】
従来から、図５、図６に示す波型プレス保持器３は、２つの環状板材（以下、保持器構成体と呼ぶ）２０を組み合わせた構造を成しており、前記保持器構成体２０は、リベット１６が挿通される貫通孔１９を有する平板状の平坦部１２と、前記平坦部１２よりも略半球状の窪んだ凹状部１４とが交互に連結されて構成されている。
【０００３】
この場合、凹状部１４同士が互いに反対方向へ窪み、且つ、平坦部１２同士が互いの貫通孔１９を連通させるように２つの保持器構成体２０を対向させるとともに、前記連通させた各貫通孔１９(以下、この状態の２つの貫通孔１９を連通孔２１という)にリベット１６を挿通し、その軸の一端部を加締めることで、前記２つの保持器構成体２０が一体的に組み合わされている。このように２つの保持器構成体２０を組み合わせることで、対向した凹状部１４により形成される略球状の凹状空間が周方向へ所定間隔で配され、当該凹状空間をポケット１８とした波型保持器を構成することができる。
【０００４】
図５に示すように、波型保持器は、各連通孔２１に１本ずつ挿通されたリベット１６を加締めることにより、対向する２つの保持器構成体２０を一体的に組み合わせた構造を成している。なお、加締める前の状態において、各リベット１６は、その基端部(図５の上端部)に連通孔２１の径寸法よりも大きな径寸法に設定された頭部１１が設けられているとともに、前記頭部１１から先端部(同図の下端部)に向け、連通孔２１の径寸法よりも僅かに大きな一定の径寸法に設定された円柱状の胴部１３、前記胴部から延びる先細りのテーパ部１４とが延出されている構造を成している。
【０００５】
連通孔２１に挿通されたリベット１６を加締める際には、テーパ部１４の一端部(先端部)を不図示のポンチなどで胴部の方向へ押圧してかしめ、連通孔２１から突出している部分を短縮させるとともに、当該連通孔２１の径寸法よりも大きな径寸法となるまで拡径変形(膨大)させる。また、その際には、連通孔２１に挿通されている部分が前記連通孔２１の径寸法と略同一の径寸法となるまで拡径変形(膨大)される。
【先行技術文献】
【特許文献】
【０００６】
【特許文献１】実開平５−４７５４５号公報
【発明の概要】
【発明が解決しようとする課題】
【０００７】
しかしながら、特許文献１の構造を採用した波型プレス保持器においては、リベットのテーパ部が連通孔内部からリベット先端まで形成され非常に長い形状であるため、テーパ傾斜角が小さくなる。このため、保持器を構成する一対の保持器構成体を合わせた時に、前記リングに設けたリベット挿通孔にリベットのテーパ部が引っかかり易くなる。これにより、一対の保持器構成体を密着させることができずに、一対の保持器構成体間に大きな隙間を形成する虞があった。この隙間を保持したままリベットを加締めると、波型プレス保持器が形成するポケットとポケットに入っている玉との間に所定以上の隙間が出来てしまうため、軸受回転時に保持器が振動し、異音発生の原因となる懸念があった。
【０００８】
本発明は、上述した課題に鑑みてなされたものであり、その目的は、波型プレス保持器を構成する一対の保持器構成体をリベット固定する際に、互いのリング状部材間に隙間を生じさせずに固定出来るとともに、軸受回転時の保持器振動や異音発生を抑制した波型プレス保持器を提供することにある。
【課題を解決するための手段】
【０００９】
そこで上記の課題を解決するために、本発明は、波型にプレス成形された一対のリング部材と、前記一対のリング部材を互いに固定するリベットよりなる波型プレス保持器において、前記リベットは、一端に固定用の頭部を備え、前記頭部から他端側へ向けて順に前記リング板厚以下の直線状の胴部と、先細りテーパ状の中間部と、直線状の先端部とを連続的に備え、前記テーパのリベット軸心に対する傾斜角度を４度〜１０度の範囲としたことを特徴とする。
【発明の効果】
【００１０】
本発明の波型プレス保持器によれば、保持器を構成する一対のリング部材を互いにリベット固定する際に、互いのリング部材間に隙間を生じさせずに固定出来るため、保持器が所定の寸法で組み付けられ、軸受回転時の保持器振動や異音発生を抑制することができる。
【図面の簡単な説明】
【００１１】
【図１】本発明に係る波型プレス保持器を示す図である。
【図２】本発明に係る波型プレス保持器のリベット部拡大断面図である。
【図３】本発明に係る波型プレス保持器を備えた転がり軸受を示す図である。
【図４】他の実施例に係る波型プレス保持器のリベット部拡大断面図である。
【図５】従来の波型プレス保持器のリベット部拡大断面図である。
【図６】従来の波型プレス保持器を示す図である
【発明を実施するための形態】
【００１２】
以下、本発明の実施形態に係る波型プレス保持器及びこれを用いた軸受について図面を参照しながら説明する。
【００１３】
図１から図３に示すように、軸受１０は、内輪２と、外輪１と、前記内輪と前記外輪との間にあって前記内輪と前記外輪とを相対回転させる複数の転動体４と、複数の前記転動体を等間隔に保持する波型プレス保持器３を備えている。波型プレス保持器３は、平坦部３０ａと湾曲部３０ｂとを交互に波状にプレス成形されたリング部材３０を一対備え、前記一対のリング部材３０を互いに固定するリベット３１より形成されている。
【００１４】
前記波型プレス保持器３は、前記リング部材３０を組み合わせることにより、複数の互いの湾曲部３０ｂによって前記転動体４を収容するポケット３ａを形成するとともに、前記一対のリング部材３０の互いの平坦部３０ａに設けた貫通孔３０ｃにリベット３１を挿通固定している。
【００１５】
また、リベット３１は、図２に示すように、一対のリング部材３０の貫通孔３０ｃの一端に、前記貫通孔径より大きい固定用の頭部３１ａを備え、前記頭部から他端側へ向けて直線状の胴部３１ｂと、先細りテーパ状の中間部３１ｃと、直線状の先端部３１ｄとを備えている。リベット軸心方向において、リベットの胴部３１ｂはリング部材３０の板厚範囲内にあって、前記リング部材に嵌合して互いを仮り位置決めしている。また、前記中間部３１ｃのテーパ形状は、リベット軸心に対して傾斜角度が４度〜１０度の範囲で一定傾斜角を保って一対のリング部材の孔を貫いて先細り状に設けられており、リベットをリング部材に円滑に挿入するための案内機能を備えている。さらにリベットの他端側には直線状に形成された先端部を備えており、リベット固定する際に不図示のポンチ等により押圧され、これが潰されて拡径することで、他端側固定用の頭部を形成するようになっている。
【００１６】
また、リベットの他の実施形態としては、図４に示すように、リベット頭部３１ａを半球状に設けたものを用いてもよい。さらには、リベットに設けたテーパ状の中間部に代えて、Ｒ形状を備えた中間部としてもよい。
【００１７】
以上、本発明の駆動装置の構造について詳細に説明したが、本発明は、以上の例には限定されず、本発明の要旨を逸脱しない範囲において、各種の改良や変形を行ってもよいのはもちろんである。
【符号の説明】
【００１８】
１…外輪
２…内輪
３…保持器
４…転動体
１０…軸受
３０…リング部材
３１…リベット
【図１】
2015137666.tif 000003
【図２】
2015137666.tif 000004
【図３】
2015137666.tif 000005
【図４】
2015137666.tif 000006
【図５】
2015137666.tif 000007
【図６】
2015137666.tif 000008